(57)【要約】【目的】電子書籍用の可視化用ディスプレイ端末が、実際の印刷された書籍の代替となるために、電子書籍のコンテンツ情報のページめくり操作を、実際の印刷された書籍と同様の感覚にて行うことができるようにすることにある。【解決手段】１乃至複数枚のフレキシブルなシートからなるページシート１と、該ページシート１の一端部２を保持する保持部３と、各ページシート１毎に前記保持部３の近傍に設けた各々ページめくりセンサー４と、各々ページめくりセンサー４にて検知されたページめくり検知信号を各々固有ページめくり信号に変換して出力するページめくり固有信号出力部６とを備えた電子書籍用ページめくり操作機器Ａと、信号処理制御手段Ｂと、電子書籍データファイルＤを収録した外部記憶手段Ｃと、可視表示用ディスプレイ手段Ｅとを備える。【選択図】図３
2009043011.tif 000002
【特許請求の範囲】
【請求項１】
１乃至複数枚のフレキシブルなシートからなるページシートと、該ページシートの一端部を保持する保持部と、各ページシート毎に前記保持部の近傍に設けた各々ページめくりセンサーと、各々ページめくりセンサーにて検知されたページめくり検知信号を各々固有ページめくり信号に変換して出力するページめくり固有信号出力部とを備えたことを特徴とする電子書籍用ページめくり操作機器。
【請求項２】
前記ページシートが、紙又はプラスチックフィルム、プラスチックシートである請求項１記載の電子書籍用ページめくり操作機器。
【請求項３】
各ページシート毎に設けた前記各々ページめくりセンサーが、マイクロコイル、圧電素子等を内蔵した曲げ検知センサーである請求項１又は２記載の電子書籍用ページめくり操作機器。
【請求項４】
前記各々ページめくりセンサーが、各ページシート毎に前記保持部の近傍のページシートのめくり操作により曲げられる曲げ部のシート表面又は／及び裏面に設けられている請求項１乃至３のいずれか１項記載の電子書籍用ページめくり操作機器。
【請求項５】
請求項１乃至４のいずれか１項に係る電子書籍用ページめくり操作機器と、該操作機器と接続する信号処理制御手段（ＣＰＵ）と、書籍コンテンツ情報からなる電子書籍データファイルを収録した外部記憶手段と、前記信号処理制御手段に搭載されて書籍コンテンツデータ情報を読み出すページ読出部と、可視表示用ディスプレイ手段とを備え、前記信号処理制御手段（ＣＰＵ）はページめくり操作機器のページめくり固有信号出力部から変換出力される各々固有ページめくり信号に基づいて外部記憶手段を動作させ、前記固有ページめくり信号に対応するページに掲載された書籍コンテンツデータ情報を読み出し、それを前記可視表示用ディスプレイ手段にて可視表示することを特徴とする電子書籍端末。
【発明の詳細な説明】
【技術分野】
【０００１】
本発明は、ＣＤやＳＤメモリカード等の電子記録媒体やパソコン等の電子機器から出力される電子データに基づいて可視化される複数のページからなる電子書籍における各ページめくり用のページめくり操作機器、及び出力される電子データを可視化するための電子書籍端末に関する。
【背景技術】
【０００２】
一般に電子書籍は、これまで書籍の掲載記事等の情報を紙に印刷していたものを、ＣＤやＳＤメモリカード等の電子記録媒体にコンテンツ情報（電子データ）として電子化して掲載記録し、その電子データを、専用の端末機器やパソコン等の電子機器と液晶表示方式等のディスプレイ機器（ディスプレイ端末）にて可視化して閲覧するものである。
【０００３】
電子機器の可視化用ディスプレイ端末としては、近年、紙と同様のフレキシブルな感触の電子ペーパーが開発されて、利用されるようになり、電子書籍に掲載された記事等のコンテンツ情報の閲覧時の感覚としては、ある程度、実際の紙に印刷された書籍本の閲覧感覚に近づいて来ている。
【０００４】
電子書籍用のディスプレイ端末は、情報の表現に限れば、電子ペーパーの出現によって実際の印刷された印刷物（書籍）に近づいてきているが、インターフェース、特にページめくりにおいては、従来のパソコン向け電子データ閲覧ソフトウェアと同様のものしか提供できていない。
【０００５】
そのため電子書籍及びその可視化用のディスプレイ端末が、実際の印刷された書籍の代替となるためには、電子書籍のコンテンツ情報の閲覧におけるページめくり操作も、実際の印刷された書籍と同様の感覚にて行える必要がある。例えば、電子書籍用ディスプレイ端末の利用者が、実際の印刷された書籍と同様の感覚でコンテンツ情報のページめくり操作を行うことができることが要求されるものである。
【０００６】
以下に、本発明に関連する先行技術文献を記載する。
【特許文献１】特許第３４０５５２１号公報
【発明の開示】
【発明が解決しようとする課題】
【０００７】
本発明の課題は、電子書籍用の可視化用ディスプレイ端末が、実際の印刷された書籍の代替となるために、電子書籍のコンテンツ情報のページめくり操作を、実際の印刷された書籍と同様の感覚にて行うことができるようにすることにある。
【課題を解決するための手段】
【０００８】
本発明の請求項１に係る発明は、１乃至複数枚のフレキシブルなシートからなるページシートと、該ページシートの一端部を保持する保持部と、各ページシート毎に前記保持部の近傍に設けた各々ページめくりセンサーと、各々ページめくりセンサーにて検知されたページめくり検知信号を各々固有ページめくり信号に変換して出力するページめくり固有信号出力部とを備えたことを特徴とする電子書籍用ページめくり操作機器である。
【０００９】
本発明の請求項２に係る発明は、上記請求項１に係る電子書籍用ページめくり操作機器において、前記ページシートが、紙又はプラスチックフィルム、プラスチックシートであ
る電子書籍用ページめくり操作機器である。
【００１０】
本発明の請求項３に係る発明は、上記請求項１又は２に係る電子書籍用ページめくり操作機器において、各ページシート毎に設けた前記各々ページめくりセンサーが、マイクロコイル、圧電素子等を内蔵した曲げ検知センサーである電子書籍用ページめくり操作機器である。
【００１１】
本発明の請求項４に係る発明は、上記請求項１乃至３のいずれか１項に係る電子書籍用ページめくり操作機器において、前記各々ページめくりセンサーが、各ページシート毎に前記保持部の近傍のページシートのめくり操作により曲げられる曲げ部のシート表面又は／及び裏面に設けられている電子書籍用ページめくり操作機器である。
【００１２】
本発明の請求項５に係る発明は、上記請求項１乃至４のいずれか１項に係る電子書籍用ページめくり操作機器と、該操作機器と接続する信号処理制御手段（ＣＰＵ）と、書籍コンテンツ情報からなる電子書籍データファイルを収録した外部記憶手段と、前記信号処理制御手段に搭載されて書籍コンテンツデータ情報を読み出すページ読出部と、可視表示用ディスプレイ手段とを備え、前記信号処理制御手段（ＣＰＵ）は、ページめくり操作機器のページめくり固有信号出力部から変換出力される各々固有ページめくり信号に基づいて外部記憶手段を動作させ、前記固有ページめくり信号に対応するページに掲載された書籍コンテンツデータ情報を読み出し、それを前記可視表示用ディスプレイ手段にて可視表示することを特徴とする電子書籍端末である。
【発明の効果】
【００１３】
本発明の電子書籍用ページめくり操作機器によれば、１乃至複数枚のフレキシブルなページシートを、１枚又は２枚以上を、各ページシート１枚毎又は複数枚毎にめくることにより、そのめくられたページシートの一端部（綴部）を固定保持する保持部の近傍にあるページ小口側のシート部分が曲げられて変形し、歪みが発生し、めくられた当該ページシートのシート保持部近傍に設けたページめくりセンサーが、その変形、歪みの発生を検知してページめくり検知信号を発生するようになっている。
【００１４】
そして、めくられた当該ページシートから発生したページめくり検知信号は、ページめくり固有信号出力部に送信され、当該めくられた当該ページシート毎に対応する固有ページめくり信号（ページめくり方向検知信号、ページナンバー信号、表示ページ信号）に変換されるものである。
【００１５】
このように、本発明の電子書籍用ページめくり操作機器に設けた１乃至複数枚のページシートの各ページシートをめくることにより、そのめくられたページシートの変形、歪みを検知して、当該めくられた当該ページシート毎に対応する固有ページめくり信号を発信することが可能となるものである。
【００１６】
本発明の電子書籍端末によれば、本発明の電子書籍用ページめくり操作機器は、ページシート１枚毎又は複数枚毎にめくられる度に、ページシートのページめくりセンサーから、固有ページめくり信号を発信し、前記操作機器と接続する信号処理制御手段（ＣＰＵ）に出力される。
【００１７】
前記信号処理制御手段は、前記操作機器から発信される固有ページめくり信号に基づいて読出部を動作させ、電子書籍データファイルとしてＣＤやＳＤメモリカード等と、そのディスクドライバーや再生機器（パソコン等のコンピュータ再生ターミナル）等の外部記憶手段に収録した電子書籍データファイルから、その固有ページめくり信号に対応するページに掲載された書籍コンテンツデータ情報信号を読み出して、読み出された書籍コンテ
ンツデータ情報信号は、可視表示用ディスプレイ手段に出力されて、固有ページめくり信号に対応するページに掲載されている書籍コンテンツデータ情報を、液晶方式、あるいは電子ペーパー方式のディスプレイ画面上に可視表示することが可能となる。
【００１８】
このように本発明の電子書籍端末は、上記の電子書籍用ページめくり操作機器を用いて、電子書籍のコンテンツ情報のページめくりを、実際に印刷製本された本のページめくりの感覚に近い感覚にて操作しながら、可視表示用ディスプレイ手段の画面にそのコンテンツ情報を表示して書籍の内容を読書し楽しむことができるようになる。
【発明を実施するための最良の形態】
【００１９】
本発明の電子書籍用ページめくり操作機器を、実施の形態に基づいて以下に詳細に説明すれば、図１は電子書籍用ページめくり操作機器Ａの概要斜視図、図２（ａ）〜（ｂ）は電子書籍用ページめくり操作機器Ａの正面図である。
【００２０】
本発明の電子書籍用ページめくり操作機器Ａは、図１、図２（ａ）〜（ｂ）に示すように、１乃至複数枚のフレキシブルなシート（１ａ、１ｂ、１ｃ、１ｄ、１ｅ、・・・）からなるページシート１と、該ページシート１の一端部２を保持する保持部３（複数枚のシートの場合は一纏めに綴じて保持する保持部（綴部）、３ａは保持部３の紙製、プラスチック製、金属製などの構造体部分）と、各ページシート１毎に前記保持部３の近傍に設けた各々ページめくりセンサー４と、該各々ページシート１のページめくりセンサー４と結線部５を介して接続したページめくり固有信号出力部６とを備える。なおページめくり固有信号出力部６は、ページめくりセンサー４の結線部５を介して、操作機器Ａ本体に対して別体にして設けてもよい。
【００２１】
上記の電子書籍用ページめくり操作機器Ａの前記ページシート１に使用する材料としては、通常の印刷、製本にて製作される紙製の書籍のページシートと同様な柔軟性のある物性と感触を有していればよく、例えば紙シート、プラスチックシート、プラスチックフィルム、あるいはアルミニウム等の軽金属の薄板等が適当であり、フレキシブルな耐水性のあるシートが良好である。
【００２２】
電子書籍用ページめくり操作機器Ａの前記各々ページめくりセンサー４（曲げ検知センサー）としては、ページシート１の素材を基材として、適宜なパターン状にコーティングしたり積層形成したり内蔵したりすることが可能な、歪みの変動を電気抵抗値の変動（パラメータ）として変換するセラミックス系などの薄膜状素子が適当であり、例えば、電歪素子、圧電素子、マイクロコイル素子などがある。
【００２３】
電子書籍用ページめくり操作機器Ａのページシート１（各々ページシート１ａ、１ｂ、１ｃ、・・・）に搭載させる各々ページめくりセンサー４は、各ページシート毎に前記保持部３の近傍のページシートのめくり操作により曲げられる曲げ部の前記シート１の表面側（一方面側）又は／及び裏面側（他方面側）に、又は前記シート１の構造層内に搭載することができる。
【００２４】
本発明の電子書籍用ページめくり操作機器Ａは、図１、図２（ａ）〜（ｂ）に示すように、１乃至複数枚のフレキシブルなページシート１（１ａ、１ｂ、１ｃ、・・・）のうち適宜なページシートの１枚又は２枚以上を、矢印の方向に１枚毎又は複数枚毎にめくることができ、そのめくられたページシート（１ａ、１ｂ、１ｃ、・・・）の一端部２（綴部）を固定保持する保持部３の小口側（保持部３とページシート１との境界部）は曲げられて変形し、その変形部分のページシート１に一体的に搭載し取り付けられたページめくりセンサー４にも歪みが発生するようになっている。
【００２５】
本発明の電子書籍用ページめくり操作機器Ａにおいては、めくられたページシート１（１ａ、１ｂ、１ｃ、・・・）は、図１、図２（ａ）〜（ｂ）に示すように、その一端部２（綴部）を固定保持する保持部３の小口側（保持部３とページシート１との境界部）において曲げられて変形し、めくられた各ページシート１（１ａ、１ｂ、１ｃ、・・・）の内側となるシート面が縮む方向に変形し、外側となるシート面が伸長する方向に変形して、歪みが発生するものである。
【００２６】
そして、めくられたページシート１（１ａ、１ｂ、１ｃ、・・・）に一体に取り付けられたページめくりセンサー４に歪みが発生して、該ページめくりセンサー４の変形、歪みの発生により電気抵抗値が変動して、予め設定されている電圧定常値（電流定常値）に対して増減が発生することにより、めくられたページシート１（１ａ、１ｂ、１ｃ、・・・）の変形、歪みの発生を検知してページめくり検知信号を発生させる。
【００２７】
ページめくりセンサー４にて発生したページめくり検知信号は、該ページめくりセンサー４から結線部５を介して、ページめくり固有信号出力部６に出力されて、当該めくられたページシートがいずれのページシート１ａ、１ｂ、１ｃ、・・・であるかを特定するための当該ページシート毎に対応するページナンバー信号（ページアドレス信号）と、ページめくり方向を認識するページめくり方向検知信号とから構成される固有ページめくり信号と、ディスプレイにて可視表示すべき表示ページを特定する表示ページ信号とに変換される。なお、ページめくりセンサー４からページめくり固有信号出力部６へのページめくり検知信号の出力により変換されて、電子書籍用ページめくり操作機器Ａの各々ページシート１ａ、１ｂ、１ｃ、・・・に対して付与されるページナンバーは、図２（ａ）〜（ｂ）に示す電子書籍用ページめくり操作機器Ａのページシート１において、その図面左側から右側に順に、小〜大（例えば各々ページシート１ａ（表裏）、１ｂ（表裏）、１ｃ（表裏）、・・・に対して、ページＮｏ．１、２、ページＮｏ．３、４、ページＮｏ．５、６、・・・）のように付与される。あるいは、その図面右側から左側に順に、小〜大（例えば各々ページシート１ｆ（表裏）、１ｅ（表裏）、１ｄ（表裏）、・・・に対して、ページＮｏ．１、２、ページＮｏ．３、４、ページＮｏ．５、６、・・・）のように付与される。
【００２８】
このようにして、電子書籍用ページめくり操作機器Ａに設けた１乃至複数枚のページシート１（１ａ、１ｂ、１ｃ、・・・）の各ページシートをめくることにより、そのめくられたページシートの変形、歪みを検知して、当該めくられた当該ページシート毎に対応する固有ページめくり信号を発信する。
【００２９】
電子書籍用ページめくり操作機器Ａのページシート１をめくり操作する場合、図２（ａ）に示すように、垂直状態の各々ページシート１ａ、１ｂ、１ｃ、・・・を点線に示すように、図面の左側に曲げて傾けてめくる場合と、図２（ｂ）に示すように、垂直状態の各々ページシート１ａ、１ｂ、１ｃ、・・・を点線に示すように、図面右側に曲げて傾けてめくる場合がある。
【００３０】
前記ページシート１（各々ページシート１ａ、１ｂ、１ｃ、・・・）に搭載する各々ページめくりセンサー４が、各ページシート毎に前記保持部３の近傍のページシートのめくり操作により曲げられる曲げ部の前記シート１の表面側（一方面側）又は裏面側（他方面側）のいずれか片面に搭載されている場合には、図２（ａ）に示すようにページシートを左側に曲げてめくった場合には、そのページシート１の曲げ内面側（内角側）となるシート片面に取り付けられている場合のページめくりセンサー４は縮小し、そのページシート１の曲げ外面側（外角側）となるシート片面に取り付けられている場合のページめくりセンサー４は伸長する。
【００３１】
そして、その時にシート片面に一体的に搭載した前記センサー４の縮小又は伸長により発生する該センサー４の電気抵抗値の差異により、そのページシートを図面左側に曲げてめくったのか、図面右側に曲げてめくったのか、そのいずれであるかを電気信号により識別して、それぞれ異なる左めくり操作信号と右めくり操作信号の各々ページめくり検知信号を発生させることができる。
【００３２】
一方、前記ページシート１（各々ページシート１ａ、１ｂ、１ｃ、・・・）に搭載する各々ページめくりセンサー４が、各ページシート毎に前記保持部３の近傍のページシートのめくり操作により曲げられる曲げ部の前記シート１の表面側（一方面側）と裏面側（他方面側）の両面に搭載されている場合には、そのページシート１の曲げ内面側（内角側）となるシート面に取り付けられているページめくりセンサー４は縮小し、そのページシート１の曲げ外面側（外角側）となるシート面に取り付けられているページめくりセンサー４は伸長する。
【００３３】
そして、その時にシート両面に一体的に搭載した前記センサー４の縮小又は伸長により発生する該センサー４の電気抵抗値の差異により、そのページシートを図面左側に曲げてめくったのか、図面右側に曲げてめくったのか、そのいずれであるかを電気信号により識別して、それぞれ異なる左めくり操作信号と右めくり操作信号の各々ページめくり検知信号を発生させることができる。
【００３４】
このように、左方向めくり操作又は右方向めくり操作によって各ページシート１ａ、１ｂ、１ｃ、・・・に搭載した各ページめくりセンサー４により検知される各々異なる左めくり（左方向めくり）操作信号と右めくり（右方向めくり）操作信号の各々ページめくり検知信号は、ページめくり固有信号出力部６に出力されて、該ページめくり固有信号出力部６により、左方向めくり操作又は右方向めくり操作したページシート１が、いずれのページシート１ａ、１ｂ、１ｃ、・・・であるかを特定するページナンバー信号（ページアドレス信号）と、ページめくり方向を認識するページめくり方向検知信号に変換されるものである。
【００３５】
また、各ページシート１ａ、１ｂ、１ｃ、・・・に搭載した各ページめくりセンサー４にて検知される前記各々ページめくり検知信号は、ページめくり固有信号出力部６に出力されて、該ページめくり固有信号出力部６により、前記ページナンバー検知信号（ページアドレス信号）とページめくり方向検知信号の変換と同時に、このような左方向めくり操作又は右方向めくり操作したページシート１のうち、いずれのページシート（１ａ、１ｂ、１ｃ、・・・）を表示すべきかを認識して、その表示すべきページをディスプレイ表示するための表示ページ信号を発生させる。
【００３６】
なお、本発明においては、片めくり（片開きめくり）又は両めくり（両開きめくり）によるめくり操作によって最上面となったページシートに付与されているページナンバーを固有信号出力部６の演算により表示すべきページとして表示ページ信号を発生させるものである。
【００３７】
片めくり（片開きめくり）と両めくり（両開きめくり）のめくり操作様式の識別については、めくり操作により左方向めくりと右方向めくりのいずれか一方のめくり方向が検知された場合には片めくりと認定されて、めくり操作によって最上面となったページシートに付与されているページナンバーを固有信号出力部６の演算により設定して表示すべきページとして表示ページ信号を発生させるものである。また、左方向めくりと右方向めくりの両方のめくり方向が検知された場合には両めくりと認定され、めくり操作によって最上面となった左方向めくりと右方向めくりとの境界における両隣のページナンバーを表示ページとして固有信号出力部６の演算により設定して表示すべきページとして表示ページ信
号を発生させるものである。
【００３８】
下記に実施例として、電子書籍用ページめくり操作機器Ａ（図２（ａ）〜（ｂ））の各ページシート１のめくりセンサー４から発生するページめくり検知信号に基づいてページめくり固有信号出力部６により表示ページ信号を発生させる手順を示す。
【００３９】
＜実施例１＞
以下は片開きめくりの場合
・操作機器Ａの構造
ページシート枚数・・・６枚（ページシート１ａ、１ｂ、１ｃ、１ｄ、１ｅ、１ｆ）
各ページシートのページナンバー・・・左側から右側に昇順。
【００４０】
付与ページナンバー（左側から順に）
Ｎｏ．１、２、Ｎｏ．３、４、Ｎｏ．５、６、Ｎｏ．７、８、Ｎｏ．９、１０、
Ｎｏ．１１、１２、
・めくられたページシート及びそのページナンバー検知及びめくり方向検知
ページシート１ａ（Ｎｏ．１、２、左方向めくり）
ページシート１ｂ（Ｎｏ．３、４、左方向めくり）
・表示ページナンバー出力（めくり最上面のページナンバー出力）
Ｎｏ．４
＜実施例２＞
以下は両開きめくりの場合
・操作機器Ａの構造（実施例１に同じ）
・めくられたページシート及びそのページナンバー検知及びめくり方向検知
ページシート１ａ（Ｎｏ．１、２、左方向めくり）
ページシート１ｂ（Ｎｏ．３、４、左方向めくり）
ページシート１ｃ（Ｎｏ．５、６、左方向めくり）
ページシート１ｄ（Ｎｏ．７、８、左方向めくり）
ページシート１ｅ（Ｎｏ．９、１０、右方向めくり）
ページシート１ｆ（Ｎｏ．１１、１２、右方向めくり）
・表示ページナンバー出力（めくり最上面のページナンバー出力）
Ｎｏ．８
Ｎｏ．９
次に本発明の電子書籍端末を、実施の形態に基づいて以下に詳細に説明すれば、図３は電子書籍端末の概要斜視図である。
【００４１】
本発明の電子書籍端末は、図３に示すように、上記電子書籍用ページめくり操作機器Ａ（図１、図２参照）と、該操作機器Ａと接続する信号処理制御手段Ｂ（ＣＰＵ）と、ＣＤやＳＤメモリカード等の記録媒体に記録、収容された書籍コンテンツ情報からなる電子書籍データファイルＤを収録した外部記憶手段Ｃと、前記信号処理制御手段Ｂに搭載された書籍コンテンツデータ情報を読み出すページ読出部Ｂ1 、シフトレジスターＢ2 と、可視表示用ディスプレイ手段Ｅとを備えている。なお、上記電子書籍用ページめくり操作機器Ａのページめくり固有信号出力部６は、ページめくりセンサー４の結線部５を介して、操作機器Ａ本体に対して別体にして設けられ、例えば信号処理制御手段Ｂ（ＣＰＵ）側に搭載していてもよい。
【００４２】
電子書籍用ページめくり操作機器Ａのページめくりセンサー４にて発生したページめくり検知信号は結線部５を介して、ページめくり固有信号出力部６に出力され、固有ページめくり信号（ページアドレス信号、いずれのページシート１ａ、１ｂ、１ｃ、・・・がめくられたかを特定する信号）に変換される。
【００４３】
前記信号処理制御手段Ｂは、前記めくり固有信号出力部６にて変換され出力される各々固有ページめくり信号に基づいて、読出部Ｂ1 と外部記憶手段Ｃを動作させ、読出部Ｂ1 と外部記憶手段Ｃにて、前記固有ページめくり信号に対応するページに掲載された書籍コンテンツデータを電子書籍データファイルＤから読み出す。
【００４４】
そして前記信号処理制御手段Ｂの読出部Ｂ1 にて読み出された書籍コンテンツデータを前記可視表示用ディスプレイ手段Ｅに出力し、該書籍コンテンツデータに基づいて、可視表示用ディスプレイ手段Ｅにて、めくられたページ（ページシート１ａ、１ｂ、１ｃ、・・・のいずれか）に掲載されている書籍コンテンツ情報を、文字、画像として可視表示するものである。
【００４５】
このように本発明の電子書籍端末は、電子書籍用ページめくり操作機器Ａに設けるページシート１（１ａ、１ｂ、１ｃ、・・・）の総枚数を、ｎ枚（１ａ、１ｂ、１ｃ、・・・、１ｎ）に設定した場合には、そのページシート１の総枚数ｎに各ページシートの表裏（１＋１）を乗じた総ページ数、２ｎページの電子書籍のコンテンツ情報を可視表示用ディスプレイ手段Ｅにて表示が可能である。
【００４６】
ここで、例えば本発明の電子書籍端末に使用する上記の電子書籍用ページめくり操作機器Ａに設けるページシート１の総枚数を、ｎ枚（１ａ、１ｂ、１ｃ、・・・、１ｎ）に設定し、電子書籍のコンテンツ情報として可視表示用ディスプレイ手段Ｅにて可視表示すべきページ数を、ページシート１の総枚数２ｎより多い２ｎ＋ｋページに設定する場合について説明する。
【００４７】
前記電子書籍用ページめくり操作機器Ａ側の手段操作パネルの適宜位置、例えば各ページシート１（１ａ、１ｂ、１ｃ、・・・、１ｎ）、ページシート１の一端部２を保持する保持部３、各々ページシート１のページめくりセンサー４と結線部５を介して接続したページめくり固有信号出力部６等の適宜位置あるいは信号処理制御手段Ｂの手段操作パネルの適宜位置あるいはディスプレイ手段Ｅの手段操作パネルの適宜位置に、各ページシフトキーや全ページシフトキー（ページめくり信号切替え用プッシュキー等）を搭載し、前記保持部３、ページめくり固有信号出力部６、あるいは信号処理制御手段Ｂ（ＣＰＵ）を構成する処理制御用マイクロプロセッサーには、昇順ページシフト、降順ページシフトさせるページシフトレジスターＢ2 を搭載する。
【００４８】
これにより、２ｎページ以降のページをめくる場合には、全ページシフトキー又は各ページシフトキーを押してページシフトレジスターＢ2 を動作させて、ページめくり操作機器Ａの各ページシート１をめくり操作しながら、ページめくりセンサー４によるページめくり検知信号、又はページめくり固有信号出力部６にて変換出力させたページシート毎に対応する固有ページめくり信号（ページアドレス信号）を、２ｎページ以降のページめくり信号としてシフトさせ、その信号を識別する識別符号を付加した２ｎページ以降の２ｎ＋ｋページ目の固有ページめくりシフト信号を発生させて、ディスプレイ手段Ｅにより、２ｎページ以降の２ｎ＋ｋページ目の電子書籍のコンテンツ情報を可視表示用ディスプレイ手段Ｅにて表示させるものである。
【００４９】
なお、本発明の電子書籍端末の可視表示用ディスプレイ手段Ｅは、表示画像を同一表示画面上に分割表示させることができるようになっており、片めくり（片開きめくり）した場合だけでなく、特に両めくり（両開きめくり）した場合には、その左右両側の各ページ情報を１画面上に同時に分割表示させることができる。
【図面の簡単な説明】
【００５０】
【図１】本発明の電子書籍用ページめくり操作機器Ａの概要斜視図。
【図２】本発明の電子書籍用ページめくり操作機器Ａの概要正面図。
【図３】本発明の電子書籍端末のブロック図。
【符号の説明】
【００５１】
Ａ…電子書籍用ページめくり操作機器
１…ページシート
２…一端部（綴付部）
３…シート保持部
４…ページめくりセンサー
５…結線部（導電部）
６…ページめくり固有信号出力部
Ｂ…信号処理制御手段
Ｂ1 …読出部
Ｃ…外部記憶手段
Ｄ…電子書籍データファイル
Ｅ…可視表示用ディスプレイ手段
【図１】
2009043011.tif 000003
【図２】
2009043011.tif 000004
【図３】
2009043011.tif 000005